(57)【要約】【課題】本発明の目的は、検査作業区域からの作業員の入退域と検査機材の搬入出を簡単かつ効率良く管理できる設備診断支援システムを提供することにある。【解決手段】サービスカーは計算機を搭載し、検査対象設備が設置されている現地に移動する。仮囲い部材３は検査対象設備の周囲を取り囲むように仮設されている検査作業員１３は認証データを発信する認証カード１６を携帯している。検査機器や工具を含む各検査機材２１には機材データを発信するＩＣチップが貼付されている。入退域用リーダ１４，１５は認証カード１６から認証データを読み取る。搬入出用リーダ１７，１８は検査機材２１に添付されているＩＣチップから機材データを読み取る。計算機は入退域用リーダ１４，１５で読み取った認証データと搬入出用リーダ１７、１８で読み取った機材データを入力し、検査作業員１３の入退域と検査機材２１の搬入出を管理する。【選択図】図２
2007186896.tif 000002
【特許請求の範囲】
【請求項１】
計算機を搭載し、検査対象設備が設置されている現地に移動するサービスカーと、前記検査対象設備に関する検査情報を格納し、前記計算機と通信する監視センタと、前記検査対象設備の周囲を取り囲むように仮設され、検査作業区域を設定する仮囲い部材と、前記仮囲い部材に設けられ前記検査作業区域への入退域通路となる出入口と、前記出入口を開閉するゲートと、検査作業員の認証データを発信するＩＣチップを有し、前記検査作業員が携帯する認証カードと、前記検査対象設備の検査に要する検査機器や工具を含む各検査機材に添付され、機材データを発信するＩＣチップと、前記認証カードのＩＣチップから認証データを読み取る入退域用リーダと、前記検査機材に添付されているＩＣチップから機材データを読み取る搬入出用リーダとを備え、前記計算機は前記入退域用リーダで読み取った認証データと前記搬入出用リーダで読み取った機材データを入力し、前記検査作業員の前記検査作業区域への入退域と前記検査機材の前記検査作業区域への搬入出を管理するようにしたことを特徴とする設備診断支援システム。
【請求項２】
パソコンを搭載し、検査対象設備の近くまで移動するサービスカーと、前記検査対象設備に関する検査情報を格納し、前記パソコンと通信する監視センタと、前記検査対象設備の周囲を取り囲むように仮設され、検査作業区域を設定する仮囲い部材と、前記仮囲い部材に設けられ前記検査作業区域への入退域通路となる出入口と、前記出入口を開閉するゲートと、検査作業員の認証データを発信するＩＣチップを有し、前記検査作業員が携帯する認証カードと、前記検査対象設備の検査に要する検査機器や工具を含む各検査機材に添付され、機材データを発信するＩＣチップと、前記認証カードのＩＣチップから認証データを読み取る入域用リーダと、前記認証カードのＩＣチップから認証データを読み取る退域用リーダと、前記検査機材に添付されているＩＣチップから機材データを読み取るハンデイタイプの搬入用リーダと、前記検査機材に添付されているＩＣチップから機材データを読み取るハンデイタイプの搬出用リーダとを備え、前記計算機は前記入域用リーダおよび退域用リーダで読み取った認証データと前記搬入用リーダおよび前記搬出用リーダで読み取った機材データを入力し、前記検査作業員の前記検査作業区域への入退域と前記検査機材の前記検査作業区域への搬入出を管理するようにしたことを特徴とする設備診断支援システム。
【請求項３】
請求項１、２のいずれか１項において、前記計算機は前記検査機材の搬入時に前記検査機器の校正期間の有効性を判定することを特徴とする設備診断支援システム。
【発明の詳細な説明】
【技術分野】
【０００１】
本発明はサービスカーを作業現場に派遣し受変電所等に設置されている設備、機器等の検査対象機器の保守、定期検査を行う設備診断支援システムに関する。
【背景技術】
【０００２】
受変電所等に設置されている変圧器、遮断器等の各種設備、機器は保守、定検作業を行う必要がある。受変電所等の設備機器は外観のよく似た機器が多いため、予め作業対象機器の周囲、つまり、検査作業区域をパーティション、虎縞模様のロープ等で養生して検査作業区域を設定している。
【０００３】
このような検査作業を安全かつ確実に行うために、サービスカーを検査作業現場に派遣し遠隔地の監視センタとの間で検査情報の授受を行って検査作業を実施することが提案されている。このことは、例えば、下記の特許文献１に記載されている。
【０００４】
一方、検査作業員の検査作業区域への入退域を管理することが要求され、また、検査作業区域には検査に要する検査機器や工具などの検査機材を搬入するが、検査作業区域からの退域時に検査機材を作業区域に忘れるのを管理することが要求される。
【０００５】
仮囲いされた建設現場に作業員の入退場を管理することは下記の特許文献２に記載されている。仮囲い部材の仮設出入口にカードリーダを配置し、個人認証カードに記載された個人情報に基づいて出入口を開閉している。
【０００６】
【特許文献１】特開２００３−６５８１３号公報
【特許文献２】特開平６−２９９７４２号公報
【発明の開示】
【発明が解決しようとする課題】
【０００７】
従来技術は作業現場（作業区域）への作業者の入退場を管理しているが、検査に要する検査機器や工具などの検査機材を検査作業区域からの搬入出を充分に管理できないという問題点を有する。このため、検査機材の校正期間の有効性を含めた検査機材の搬入出の管理を簡単に行える技術の開発が強く要望されている。
【０００８】
本発明の目的は、検査作業区域からの作業員の入退域と検査機材の搬入出を簡単かつ効率良く管理できる設備診断支援システムを提供することにある。
【課題を解決するための手段】
【０００９】
本発明の特徴とするところは、計算機を搭載し、検査対象設備が設置されている現地に移動するサービスカーと、前記検査対象設備に関する検査情報を格納し、前記計算機と通信する監視センタと、前記検査対象設備の周囲を取り囲むように仮設され、検査作業区域を設定する仮囲い部材と、前記仮囲い部材に設けられ前記検査作業区域への入退域通路となる出入口と、前記出入口を開閉するゲートと、検査作業員の認証データを発信するＩＣチップを有し、前記検査作業員が携帯する認証カードと、前記検査対象設備の検査に要する検査機器や工具を含む各検査機材に添付され、機材データを発信するＩＣチップと、前記認証カードのＩＣチップから認証データを読み取る入退域用リーダと、前記検査機材に添付されているＩＣチップから機材データを読み取る搬入出用リーダとを備え、前記計算機は前記入退域用リーダで読み取った認証データと前記搬入出用リーダで読み取った機材データを入力し、前記検査作業員の前記検査作業区域への入退域と前記検査機材の前記検査作業区域への搬入出を管理するようにしたことにある。
【発明の効果】
【００１０】
本発明はサービスカーに搭載した計算機で安全管理システムを構築し作業員の入退域と検査機材の搬入出を管理しているので、現在の検査作業現場における検査作業を終了すると次の検査作業現場に移動することにより１つの安全管理システムによって複数個所における検査作業区域からの作業員の入退域と検査機材の搬入出を簡単かつ効率良く管理できる。
【発明を実施するための最良の形態】
【００１１】
サービスカーはパソコンを搭載し、検査対象設備の近くまで移動する。監視センタは検査対象設備に関する検査情報を格納し、パソコンと通信する。仮囲い部材は検査対象設備の周囲を取り囲むように仮設され、検査作業区域を設定する。仮囲い部材には検査作業区域への入退域通路となる出入口が設けられている。仮囲い部材の出入口には出入口を開閉するゲートが配置されている。検査作業員は作業員の認証データを発信するＩＣチップを有する認証カードを携帯する。検査対象設備の検査に要する検査機器や工具を含む各検査機材には機材データを発信するＩＣチップが添付されている。入域用リーダと退域用リーダは認証カードのＩＣチップから認証データを読み取る。ハンデイタイプの搬入用リーダと搬出用リーダは検査機材に添付されているＩＣチップから機材データを読み取る。計算機は入域用リーダおよび退域用リーダで読み取った認証データと搬入用リーダおよび搬出用リーダで読み取った機材データを入力し、検査作業員の検査作業区域への入退域と検査機材の検査作業区域への搬入出を管理する。計算機は検査機材の搬入時に検査機器の校正期間の有効性を判定する。
【実施例】
【００１２】
図１〜図３に本発明の一実施例を示す。図１は全体構成を示す平面図、図２は検査作業区域出入口の一例構成図、図３は計算機の機能ブロック図である。
【００１３】
図１において、建屋１には出入口１ａが構成されており、遮断器、変圧器などの複数台の設備機器２が設置されている。今回の検査対象設備２ａの周囲を取り囲むように仮囲い部材３が仮設されている。仮囲い部材３としてはパーティション等が用いられ、検査作業区域４を設定する。仮囲い部材３には検査作業区域４への入退域通路となる出入口５が設けられている。検査作業区域４には仮囲い部材（パーティション）３の隙間もしくは仮囲い部材上部からの侵入を検出する誤侵入検出センサ６（赤外線センサ、テンションセンサなど）が取付けられている。誤侵入検出センサ６は複数個設けられるが、１個のみを図示している。
【００１４】
サービスカー７は計算機（パソコン）８を搭載して現地に移動し、検査対象設備２ａの近くまで移動する。図１では建屋１の近くに移動し停車している状態を示している。パソコン８は誤侵入検出センサ６と後述するＩＣチップリーダ、ゲート駆動装置と図示しないネットワークを介して接続されている。サービスカー７に搭載されているパソコン８は検査作業区域４の安全監視システムを構成する。
【００１５】
監視センタ９はパソコン１０を有している。パソコン１０はサービスカー７に搭載されているパソコン８と一般公共回線を利用し検査対象設備２ａに関する検査情報を通信する。監視センタ９のパソコン１０は検査担当会社の事業所などの図示しない計算機にネットワークを介して接続されている。検査担当会社の事業所では検査期間（開始日と最終日）、検査作業員、検査対象設備２ａに要する検査機器、工具などの検査機材を計算機に登録して検査情報帳票を作成し監視センタ９のパソコン１０に送信する。
【００１６】
検査作業区域４の出入口５は図２に示すように構成されている。仮囲い部材（パーティション）３で形成された出入口５には出入口を開閉するゲート１１が配置されている。ゲート１１はゲート駆動装置１２により開閉操作される。
【００１７】
出入口５を通過する検査作業員１３は作業員の個人認証データを発信するＩＣチップを有する認証カード１６を携帯している。なお、作業責任者は認証カード１６の他にメールを受信できる携帯端末を所持している。出入口５の入り側（図示の前側）には認証カード１６から作業員の個人認証データを受信して読み取る入域用カードリーダ１４が配置され、出入口５の出側（図示の奥側）には認証カード１６から作業員の個人認証データを受信して読み取る退域用カードリーダ１５が配置されている。以後、入域用カードリーダ１４は入域用リーダと称し、退域用カードリーダ１５は退域用リーダと称する。
【００１８】
入域用リーダ１４と退域用リーダ１５は収納箱に収納されており、検査作業区域４に搬入（搬出）する検査機材２１が無いときと、搬入（搬出）する検査機材２１の機材データ確認終了のときに押圧するプッシュボタンの機能も果たしている。入域用リーダ１４と退域用リーダ１５がプッシュボタンとして機能する場合にはプッシュボタン１４、１５と称し、押圧による信号を機材有無データと称する。検査機材２１には機材データを発信するＩＣチップが貼付されている。なお、以後、検査機材２１は荷物と称することもある。
【００１９】
ハンデイタイプの搬入用リーダ１７は検査機材２１に貼付されたＩＣチップから機材データを読み取るもので、出入口５の入り側に置かれている。また、ハンデイタイプの搬出用リーダ１８は検査機材２１に貼付されたＩＣチップから機材データを読み取るもので、出入口５の出側に置かれている。検査作業員１３は搬入用リーダ１７あるいは搬出用リーダ１８を手に持って検査機材２１に近づけて機材データを読み取ることになる。
【００２０】
入域用リーダ１４の収納箱には入域管理用ＩＣチップ１９が貼付されており、退域用リーダ１５の収納箱には退域管理用ＩＣチップ２０が貼付されている。入域管理用ＩＣチップ１９は作業責任者が搬入用リーダ１７を近づけると「入域確認」のデータを発信し、退域管理用ＩＣチップ２０は搬出用リーダ１８を近づけると「退域確認」あるいは「最終退域確認」のデータを発信する。「入域確認」、「退域確認」、「最終退域確認」のデータを確認要求データと称する。
【００２１】
図３にパソコン８の一例機能ブロック図を示す。
【００２２】
図３において、監視センタ９はパソコン１０から送信された検査対象設備２ａの検査に必要な検査情報（検査期間、検査作業員、検査機材など）は通信処理部２２で受信され、データ格納部２３によって作業者データベース（ＤＢ）２４と検査機材ＤＢ２５に格納される。作業者ＤＢ２４には作業員１３の氏名、会社名、年齢などの個人管理データが格納され、また、検査機材ＤＢ２５には管理番号、機材名称、校正日、次回校正予定日などの機材管理データが格納される。検査機材ＤＢ２５の機材管理データは作業期間内の日々に搬入する機材と搬出する機材とが識別されている。
【００２３】
入退域用リーダ１４、１５の個人認証データ（プッシュボタン１４、１５の機材有無データ）、搬入出用リーダ１７、１８の機材データならびに確認要求データが入力処理部２６に入力される。入域用リーダ１４で読み取った個人認証データは入域判定部２７に加えられ、退域用リーダ１５で読み取った個人認証データは退域判定部２８に加えられる。また、入力処理部２６に入力された機材データは搬入出管理部２９に入力され、確認要求データは報告要求判定部３０に入力される。
【００２４】
報告要求判定部３０は確認要求データが「入域確認」、「退域確認」、「最終退域確認」のいずれであるかを判定しメール作成部３１に与える。メール作成部３１は確認要求データに基づき作業者ＤＢ２４と検査機材ＤＢ２５を参照して定型フォーマットのメールを作成しメール送信部３２から作業責任者が所持する携帯端末（以後、責任者携帯端末と称する）に送信する。
【００２５】
警報発生部３３は入域判定部２７で入域不可あるいは搬入出管理部２９で規準外機材と判定すると警報を発生する。警報発生部３３は誤侵入検出センサ６で誤侵入を検出すると警報を発生するようになっているが、詳細図示を省略している。
【００２６】
次に、図４、図５に示すフロー図を参照して動作を説明する。
【００２７】
まず、検査担当会社の事業所では検査作業員、検査対象設備２ａに要する検査機器、工具などの検査機材を計算機に登録して検査情報（検査情報帳票）を作成する。サービスカー７はパソコン８を搭載して現地に移動し、検査対象設備２ａの近くまで移動する。監視センタ９のパソコン１０は検査担当会社の事業所からの検査情報を通信処理部２２で受信して、データ格納部２３により作業者ＤＢ２４と検査機材ＤＢ２５に格納する。
【００２８】
検査情報には検査期間（開始日と最終日）、作業員１３の氏名、会社名、年齢などの個人管理データ、検査機材２１の管理番号、機材名称、校正日、次回校正予定日などの機材管理データが含まれている。
【００２９】
図４は作業員の入域のフロー図である。検査作業員１３は認証カード１６を入域用リーダ１４に近づける。また、作業員１３は搬入する検査機材（荷物）２１が無い場合にはプッシュボタン１４を押圧して機材無データを入力する。入域用リーダ１４がステップＳ１において認証カード１６から読み取った個人認証データは入力処理部２６を介して入域判定部２７に加えられる。入域判定部２７はステップＳ２で個人認証データに対応する個人管理データを作業者ＤＢ２４の検査情報帳票から検索し判定する。
【００３０】
入域判定部２７はステップＳ２で登録有りと判定するとステップＳ３に移行してプッシュボタン１４からの機材有無データにより荷物搬入の有無を判断する。入域判定部２７はステップＳ３で荷物無しと判断するとステップＳ４に移行してゲート駆動装置１２にゲート１１に開指令を与える。一方、入域判定部２７はステップＳ２で登録無しと判定すると警報発生部３３に入域不可信号を与え、ステップＳ６で警報を発生させる。
【００３１】
検査作業員１３が荷物２１を搬入する場合には認証カード１６を入域用リーダ１４に近づけて個人認証データを読み取らせる。その後、検査作業員１３はプッシュボタン１４を押圧することなくハンデイタイプの搬入用リーダ１７を持ち検査機材２１に貼付されたＩＣチップから機材データを読み取る。プッシュボタン１４を押圧しないことによる機材有データは入力処理部２６を介して入域判定部２７加えられ、また、検査機材２１の機材データは入力処理部２６を介して搬入出管理部２９に加えられる。
【００３２】
入域判定部２７はステップＳ２で個人認証データの登録有りと判定し、ステップＳ３に移行してプッシュボタン１４からの機材データにより荷物搬入有と判断する。搬入出管理部２９はステップＳ５において機材データと検査機材ＤＢ２５の機材管理データ（管理番号、機材名称、校正日、次回校正予定日など）を照合し一致していると規準機材であると判定する。搬入出管理部２９は校正日と次回校正予定日から校正期間の有効性を判定する。校正期間の有効性は検査機器について判定され、工具については検査機材ＤＢ２５の検査情報帳票に登録した該当工具（規準機材）であるかを判定する。
【００３３】
搬入出管理部２９がステップＳ５で規準機材であると判定すると、入域判定部２７はステップＳ４に移行してゲート駆動装置１２にゲート１１に開指令を与える。一方、搬入出管理部２９はステップＳ５で規準外機材であると判定すると、警報発生部３３に規準外機材信号を与え警報を発生させる。
【００３４】
このような入域管理の動作は入域用リーダ１４に認証カード１６の個人認証データが読み取られる毎に行われる。作業責任者は作業開始時刻もしくは作業開始時刻の所定時間前になると入域管理用ＩＣチップ１９に搬入用リーダ１７を近づけて入域確認の確認要求データを発信する。入域確認の確認要求データは入力処理部２６を介して報告要求判定部３０に入力される。
【００３５】
報告要求判定部３０は確認要求データが「入域確認」であることを判定しメール作成部３１に与える。メール作成部３１は確認要求データに基づき作業者ＤＢ２４と検査機材ＤＢ２５を参照して提携フォーマットのメールを作成しメール送信部３２から作業責任者の所持する責任者携帯端末に送信する。メール内容は、例えば、作業員については「全作業員が入域」、「××作業員が未入域」となり、検査機材については「全機材が搬入」、「Ａ検査機器とＢ工具が未搬入」となる。作業責任者はメール内容に基づいて作業開始を判断、あるいは作業員、検査機材の手配などを実行する。
【００３６】
次に、作業員の退域と検査機材の搬出について図５のフロー図を参照して説明する。
【００３７】
検査作業員１３は認証カード１６を退域用リーダ１５に近づける。また、作業員１３は搬出する検査機材（荷物）２１が無い場合にはプッシュボタン１５を押圧して機材無データを入力する。退域用リーダ１５がステップＳ１１において認証カード１６から読み取った個人認証データは入力処理部２６を介して退域判定部２８に加えられる。退域判定部２８はステップＳ１２で最終日退域かを判定する。作業期間内の退域であればステップＳ１３に移行して個人認証データに対応する個人管理データ（入域した作業員）を作業者ＤＢ２４の検査情報帳票から検索し判定する。
【００３８】
退域判定部２８はステップＳ１３で登録有りと判定するとステップＳ１４に移行してプッシュボタン１５からの機材有無データにより荷物搬出の有無を判断する。退域判定部２８はステップＳ１４で荷物無しと判断するとステップＳ１５に移行してゲート駆動装置１２にゲート１１の開指令を与える。
【００３９】
検査作業員１３が荷物２１を搬出する場合には認証カード１６を退域用リーダ１５に近づけて個人認証データを読み取らせる。その後、検査作業員１３はプッシュボタン１５を押圧することなくハンデイタイプの搬出用リーダ１８を持ち検査機材２１に貼付されたＩＣチップから機材データを読み取る。プッシュボタン１５を押圧しないことによる機材有データは入力処理部２６を介して退域判定部２８加えられ、また、検査機材２１の機材データは入力処理部２６を介して搬入出管理部２９に加えられる。
【００４０】
退域判定部２８はステップＳ１３で個人認証データの登録有りと判定し、ステップＳ１４に移行してプッシュボタン１５からの機材データにより荷物搬出有と判断する。搬入出管理部２９はステップＳ１６において機材データと検査機材ＤＢ２５の機材管理データ（管理番号、機材名称など）を照合する。搬入出管理部２９は検査機器と工具については検査機材ＤＢ２５の検査情報帳票に登録されている搬入した該当機材であることを判定する。
【００４１】
搬入出管理部２９がステップＳ１６で該当機材であると判定すると、退域判定部２８はステップＳ１５においてゲート駆動装置１２にゲート１１の開指令を与える。一方、搬入出管理部２９はステップＳ１６で該当機材でないと判定すると、警報発生部３３に該当外機材信号を与え警報を発生させる。
【００４２】
このような作業期間内における退域管理の動作は退域用リーダ１５に認証カード１６の個人認証データが読み取られる毎に行われる。作業責任者は作業終了時刻後に退域管理用ＩＣチップ２０に搬出用リーダ１８を近づけて退域確認の確認要求データを発信する。退域確認の確認要求データは入力処理部２６を介して報告要求判定部３０に入力される。
【００４３】
報告要求判定部３０は確認要求データが「退域確認」であることを判定しメール作成部３１に与える。メール作成部３１は確認要求データに基づき作業者ＤＢ２４と検査機材ＤＢ２５を参照して提携フォーマットのメールを作成しメール送信部３２から作業責任者の所持する責任者携帯端末に送信する。検査機材ＤＢ２５の機材管理データには作業期間内の日々に搬入する機材と搬出する機材とが識別してデータ化されている。検査機材は検査作業区域４に置いておくものもある。
【００４４】
メール内容は、例えば、作業員については「全作業員が退域」、「××作業員が未退域」となり、検査機材については「搬出予定全機材が搬出」、「搬出予定機材のＣ検査機器とＤ工具が未搬出」、「搬出予定外機材のＥ工具を未搬出」となる。作業責任者はメール内容に基づいて作業員の退域を促し、また、検査機材の手配などを実行する。
【００４５】
一方、退域判定部２８はステップＳ１２で最終日退域と判定するとステップＳ１７に移行して作業員１３の最終退域かを判定する。最終退域でなければステップＳ１３に移行してステップＳ１４、Ｓ１５を実行して上述したような退域管理が行われる。
【００４６】
退域判定部２８がステップＳ１７で最終退域と判定するとステップＳ１８で全検査機材２１を搬出したかを判定する。全検査機材していればステップＳ１３〜Ｓ１５の処理を実行してゲート１１を開操作する。
【００４７】
このようにして最終日の最終退域が終了したならば、作業責任者は退域管理用ＩＣチップ２０に搬出用リーダ１８を近づけて最終退域確認の確認要求データを発信する。最終退域確認の確認要求データは入力処理部２６を介して報告要求判定部３０に入力される。報告要求判定部３０は確認要求データが「最終退域確認」であることを判定しメール作成部３１に与える。メール作成部３１は確認要求データに基づき作業者ＤＢ２４と検査機材ＤＢ２５を参照して提携フォーマットのメールを作成しメール送信部３２から作業責任者の所持する責任者携帯端末に送信する。
この場合のメール内容は、例えば、「全作業員が退域し、全機材を搬出」となる。作業責任者はメール内容に基づいて作業員の退域と検査機材の搬出を再確認して検査作業を終了する。
【００４８】
このようにして検査対象機器の保守、定期検査を行うのであるが、本発明はサービスカーに搭載した計算機で安全管理システムを構築し作業員の入退域と検査機材の搬入出を管理しているので、現在の検査作業現場における検査作業を終了すると次の検査作業現場に移動することにより１つの安全管理システムによって複数個所における検査作業区域からの作業員の入退域と検査機材の搬入出を簡単かつ効率良く管理できる。
【図面の簡単な説明】
【００４９】
【図１】本発明の全体構成を示す平面図である。
【図２】本発明の検査作業区域出入口の一例構成図である。
【図３】本発明による計算機の機能ブロック図である。
【図４】本発明の動作を説明するためのフロー図である。
【図５】本発明の動作を説明するためのフロー図である。
【符号の説明】
【００５０】
１…建屋、１ａ…出入口、２…設備機器、２ａ…検査対象設備、３…仮囲い部材、４…検査作業区域、５…出入口、６…誤侵入検出センサ６、７…サービスカー、８…計算機（パソコン、９…監視センタ、１０…パソコン、１１…ゲート、１２…ゲート駆動装置、１３…検査作業員１３、１４…入域用カードリーダ、１５…退域用カードリーダ、１６…認証カード、１７…搬入用リーダ、１８…搬出用リーダ、１９…入域管理用ＩＣチップ、２０…退域管理用ＩＣチップ、２２…通信処理部、２３…データ格納部、２４…作業者ＤＢ、２５…検査機材ＤＢ、２６…入力処理部、２７…入域判定部、２８…退域判定部、２９…搬入出管理部、３０…報告要求判定部、３１…メール作成部、３２…メール送信部、３３…警報発生部。
【図１】
2007186896.tif 000003
【図２】
2007186896.tif 000004
【図３】
2007186896.tif 000005
【図４】
2007186896.tif 000006
【図５】
2007186896.tif 000007